【手続補正書】
【提出日】平成19年7月13日(2007.7.13)
【手続補正１】
【補正対象書類名】明細書
【補正対象項目名】発明の名称
【補正方法】変更
【補正の内容】
【発明の名称】広告生成装置、広告生成方法、および広告生成プログラム
【手続補正２】
【補正対象書類名】明細書
【補正対象項目名】特許請求の範囲
【補正方法】変更
【補正の内容】
【特許請求の範囲】
【請求項１】  地図情報、この地図情報における所定の位置に関連付けられた広告情報、並びに前記地図情報及び前記広告情報のメディアに対する配置位置を示す配置情報を保持する情報保持手段と、
入力された地図検索用情報に基づいて、前記情報保持手段を検索し、対応する地図情報及び広告情報を読み出す検索手段と、  
前記読み出した地図情報及び広告情報、並びに前記配置情報に基づいて広告データを生成する生成手段とを有することを特徴とする広告生成装置。
【請求項２】  前記検索手段は、前記地図検索用情報に基づいて複数の広告情報を読み出すことを特徴とする請求項１記載の広告生成装置。
【請求項３】  前記検索手段は、地図情報の中心位置から一番近い位置に関連付られている広告情報を読み出すことを特徴とする請求項１または２記載の広告生成装置。
【請求項４】  前記生成手段は、地図情報における所定の位置と、この位置に関連づけられている広告情報とを結ぶ線データを、前記地図情報における地図上に付加することを特徴とする請求項１から３のいずれか１項に記載の広告生成装置。
【請求項５】  前記生成手段は、前記線データを、地図情報に含まれない色、または前記地図情報に含まれる色と補色関係にある色にすることを特徴とする請求項４記載の広告生成装置。
【請求項６】  前記生成手段は、前記地図情報における所定の位置と、前記所定の位置に関連づけられている広告情報に、同一のインデックスを付加することを特徴とする請求項１から５のいずれか１項に記載の広告生成装置。
【請求項７】  地図情報、この地図情報における所定の位置に関連付けられた広告情報、並びに前記地図情報及び前記広告情報のメディアに対する配置位置を示す配置情報を保持する手順と、
入力された地図検索用情報に基づいて、前記情報保持手段を検索し、対応する地図情報及び広告情報を読み出す手順と、  
前記読み出した地図情報及び広告情報、並びに前記配置情報に基づいて広告データを生成する手順と
を有することを特徴とする広告生成方法。
【請求項８】  前記検索する手順は、前記地図検索用情報に基づいて複数の広告情報を読み出す手順を含むことを特徴とする請求項７記載の広告生成方法。
【請求項９】  前記検索する手順は、地図情報の中心位置から一番近い位置に関連付られている広告情報を読み出す手順を含むことを特徴とする請求項７または８記載の広告生成方法。
【請求項１０】  前記生成する手順は、地図情報における所定の位置と、この位置に関連づけられている広告情報とを結ぶ線データを、前記地図情報における地図上に付加する手順を含むことを特徴とする請求項７から９のいずれか１項に記載の広告生成方法。
【請求項１１】  前記生成する手順は、前記線データを、地図情報に含まれない色、または前記地図情報に含まれる色と補色関係にある色にする手順を含むことを特徴とする請求項１０記載の広告生成方法。
【請求項１２】  前記生成する手順は、前記地図情報における所定の位置と、前記所定の位置に関連づけられている広告情報に、同一のインデックスを付加する手順を含むことを特徴とする請求項７から１１のいずれか１項に記載の広告生成方法。
【請求項１３】  請求項７から１２のいずれか１項に記載の手順を広告生成装置に実行させることを特徴とする広告生成プログラム。
【手続補正３】
【補正対象書類名】明細書
【補正対象項目名】０００１
【補正方法】変更
【補正の内容】
【０００１】
【発明の属する技術分野】
本発明は、コンピュータを利用して地図と連動した印刷媒体に適する広告生成を行う広告生成装置、広告生成方法、および広告生成プログラムに関する。
【手続補正４】
【補正対象書類名】明細書
【補正対象項目名】０００７
【補正方法】変更
【補正の内容】
【０００７】
また、複数の広告を有する広告物を生成することを目的とする。
【手続補正５】
【補正対象書類名】明細書
【補正対象項目名】００１１
【補正方法】変更
【補正の内容】
【００１１】
【課題を解決するための手段】
かかる目的を達成するため、請求項１記載の発明は、地図情報、この地図情報における所定の位置に関連付けられた広告情報、並びに前記地図情報及び前記広告情報のメディアに対する配置位置を示す配置情報を保持する情報保持手段と、入力された地図検索用情報に基づいて、前記情報保持手段を検索し、対応する地図情報及び広告情報を読み出す検索手段と、 前記読み出した地図情報及び広告情報、並びに前記配置情報に基づいて広告データを生成する生成手段とを有することを特徴としている。
【手続補正６】
【補正対象書類名】明細書
【補正対象項目名】００１２
【補正方法】変更
【補正の内容】
【００１２】
請求項２記載の発明は、請求項１記載の発明において、前記検索手段は、前記地図検索用情報に基づいて複数の広告情報を読み出すことを特徴としている。
【手続補正７】
【補正対象書類名】明細書
【補正対象項目名】００１３
【補正方法】変更
【補正の内容】
【００１３】
請求項３記載の発明は、請求項１または２記載の発明において、前記検索手段は、地図情報の中心位置から一番近い位置に関連付られている広告情報を読み出すことを特徴としている。
【手続補正８】
【補正対象書類名】明細書
【補正対象項目名】００１４
【補正方法】変更
【補正の内容】
【００１４】
請求項４記載の発明は、請求項１から３のいずれか１項に記載の発明において、前記生成手段は、地図情報における所定の位置と、この位置に関連づけられている広告情報とを結ぶ線データを、前記地図情報における地図上に付加することを特徴としている。
【手続補正９】
【補正対象書類名】明細書
【補正対象項目名】００１５
【補正方法】変更
【補正の内容】
【００１５】
請求項５記載の発明は、請求項４記載の発明において、前記生成手段は、前記線データを、地図情報に含まれない色、または前記地図情報に含まれる色と補色関係にある色にすることを特徴としている。
【手続補正１０】
【補正対象書類名】明細書
【補正対象項目名】００１６
【補正方法】変更
【補正の内容】
【００１６】
請求項６記載の発明は、請求項１から５のいずれか１項に記載の発明において、前記生成手段は、前記地図情報における所定の位置と、前記所定の位置に関連づけられている広告情報に、同一のインデックスを付加することを特徴としている。
【手続補正１１】
【補正対象書類名】明細書
【補正対象項目名】００１７
【補正方法】変更
【補正の内容】
【００１７】
請求項７記載の発明は、地図情報、この地図情報における所定の位置に関連付けられた広告情報、並びに前記地図情報及び前記広告情報のメディアに対する配置位置を示す配置情報を保持する手順と、入力された地図検索用情報に基づいて、前記情報保持手段を検索し、対応する地図情報及び広告情報を読み出す手順と、 前記読み出した地図情報及び広告情報、並びに前記配置情報に基づいて広告データを生成する手順とを有することを特徴としている。
【手続補正１２】
【補正対象書類名】明細書
【補正対象項目名】００１８
【補正方法】変更
【補正の内容】
【００１８】
請求項８記載の発明は、請求項７記載の発明において、前記検索する手順は、前記地図検索用情報に基づいて複数の広告情報を読み出す手順を含むことを特徴としている。
【手続補正１３】
【補正対象書類名】明細書
【補正対象項目名】００１９
【補正方法】変更
【補正の内容】
【００１９】
請求項９記載の発明は、請求項７または８記載の発明において、前記検索する手順は、地図情報の中心位置から一番近い位置に関連付られている広告情報を読み出す手順を含むことを特徴としている。
【手続補正１４】
【補正対象書類名】明細書
【補正対象項目名】００２０
【補正方法】変更
【補正の内容】
【００２０】
請求項１０記載の発明は、請求項７から９のいずれか１項に記載の発明において、前記生成する手順は、地図情報における所定の位置と、この位置に関連づけられている広告情報とを結ぶ線データを、前記地図情報における地図上に付加する手順を含むことを特徴としている。
【手続補正１５】
【補正対象書類名】明細書
【補正対象項目名】００２１
【補正方法】変更
【補正の内容】
【００２１】
請求項１１記載の発明は、請求項１０記載の発明において、前記生成する手順は、前記線データを、地図情報に含まれない色、または前記地図情報に含まれる色と補色関係にある色にする手順を含むことを特徴としている。
【手続補正１６】
【補正対象書類名】明細書
【補正対象項目名】００２２
【補正方法】変更
【補正の内容】
【００２２】
請求項１２記載の発明は、請求項７から１１のいずれか１項に記載の発明において、前記生成する手順は、前記地図情報における所定の位置と、前記所定の位置に関連づけられている広告情報に、同一のインデックスを付加する手順を含むことを特徴としている。
【手続補正１７】
【補正対象書類名】明細書
【補正対象項目名】００２３
【補正方法】変更
【補正の内容】
【００２３】
請求項１３記載の発明は、請求項７から１２のいずれか１項に記載の手順を広告生成装置に実行させる広告生成プログラムであることを特徴としている。
【手続補正１８】
【補正対象書類名】明細書
【補正対象項目名】００２４
【補正方法】削除
【補正の内容】
【手続補正１９】
【補正対象書類名】明細書
【補正対象項目名】００２６
【補正方法】変更
【補正の内容】
【００２６】
（第１の実施例）
図１は、本発明の一実施の形態における広告生成装置の構成を示す図である。本発明に係る広告生成装置の実施形態の構成を図１に示す。本構成は、入力手段１と、制御手段２と、配置手段３と、検索手段４と、情報保持手段５と、地図、広告、配置情報６とから構成されている。
【手続補正２０】
【補正対象書類名】明細書
【補正対象項目名】００３９
【補正方法】変更
【補正の内容】
【００３９】
【発明の効果】
以上の説明から明らかなように、本発明によれば、地図に関連した広告の生成が可能となる。特に印刷媒体へ広告を効果的に供給することができる。
【手続補正２１】
【補正対象書類名】明細書
【補正対象項目名】図面の簡単な説明
【補正方法】変更
【補正の内容】
【図面の簡単な説明】
【図１】
本発明の一実施形態における広告生成装置の構成を示す図である。
【図２】
地図データから検索手段４を用いて広告を検索する検索手段の一実施例を示す図である。
【図３】
広告データのメディアに地図情報と広告情報とを配置するためのデータである配置情報の一実施例を示す図である。
【図４】
第１の実施例における最終的な広告データの一実施例を示す図である。
【図５】
第１の実施例で最終的に複数個の情報を得て配置した一実施例を示す図である。
【図６】
広告領域に表示される広告情報の位置情報が示す地図上の点と広告領域とを線で連結して表示する方法の一実施例を示す図である。
【図７】
配置の際に、それぞれの広告領域にそのインデックスを表示し、さらに地図上の位置にもインデックスを表示して生成される広告データの一実施例を示す図である。
【図８】
配置手段３を用いて幾何学的に配置する広告生成プログラムにおける処理手順を示すフローチャートである。
【符号の説明】
１  入力手段
２  制御手段
３  配置手段
４  検索手段
５  情報保持手段